(57)【特許請求の範囲】
【請求項１】
撮影レンズを保持したケーシングと、
前記ケーシングに設けられると共に、該ケーシングの回転に連動されてカメラ本体に締結されることにより、ケーシングをカメラ本体に取り付けるマウント部材と、
前記ケーシングの回転を前記マウント部材に伝達する連動部材と、
前記連動部材の動力を前記マウント部材に伝達する、連動部材とマウント部材との端面の動力伝達部に形成されると共に、前記ケーシングの取り付け方向の回転で当接される各々の面がテーパ面に形成され、取り外し方向の回転で当接される各々の面が前記テーパ面よりも傾斜角度の小さい面に形成された凸部と、
前記マウント部材と前記連動部材とを相対的に押圧付勢すると共に、前記マウント部材の締結後に、前記ケーシングから連動部材を介してマウント部材に伝達された取り付け方向の回転力が許容値を超えた時に、連動部材の凸部がマウント部材の凸部を乗り上げることができる付勢力に設定された付勢部材と、
を備えたことを特徴とするレンズ装置の取付構造。
【発明の詳細な説明】
【０００１】
【発明の属する技術分野】
本発明はレンズ装置の取付構造に係り、特に監視カメラ用のレンズ装置をカメラ本体に取り付けるためのレンズ装置の取付構造に関する。
【０００２】
【従来の技術】
監視カメラのレンズ装置は、撮影レンズがケーシングに保持され、このケーシングに設けられたマウントリングをカメラ本体に締結することにより、カメラ本体に取り付けられる。また、前記レンズ装置は、アイリスとアイリスメータとを備えたアイリスユニットが内蔵され、アイリスメータのケーブルをカメラ本体のコネクタに接続することにより、アイリスユニットが駆動されるようになっている。
【０００３】
このため、前記レンズ装置は、ケーシングとマウントリングとがストッパ部材同士（凸部）を介して連結されており、ストッパ部材同士の当接によりケーシングの回転力がマウントリングに伝達されて、マウントリングがカメラ本体に締結される。そして、マウントリングの締結終了後に、ケーシングを逆方向に回動（許容角度以上回動するとストッパ同士が当接してマウントリングが緩んでしまうので、その許容角度以下の角度で回動）して、前記ケーブルの位置をコネクタに接続し易い位置に調節している。
【０００４】
【発明が解決しようとする課題】
しかしながら、従来のレンズ装置の取付構造は、マウントリングの締結終了後に、過度の回転力がケーシングからマウントリングに伝達されると、即ち、マウントリングを締め過ぎてしまうと、ストッパ部材が破損するという欠点がある。このような不具合は、ストッパ部材を大きくして強度を上げれば解消できるが、ストッパ部材を大きくすると、ケーブルを位置調整するためのケーシング回動範囲が狭くなるという欠点がある。
【０００５】
本発明はこのような事情に鑑みてなされたもので、締め過ぎによるマウント部材の破損を防止すると共に、ケーブルを位置調整するためのケーシング回動範囲を広くとることができるレンズ装置の取付構造を提供することを目的とする。
【０００６】
【課題を解決するための手段】
本発明は、前記目的を達成するために、撮影レンズを保持したケーシングと、前記ケーシングに設けられると共に、該ケーシングの回転に連動されてカメラ本体に締結されることにより、ケーシングをカメラ本体に取り付けるマウント部材と、前記ケーシングの回転を前記マウント部材に伝達する連動部材と、前記連動部材の動力を前記マウント部材に伝達する、連動部材とマウント部材との端面の動力伝達部に形成されると共に、前記ケーシングの取り付け方向の回転で当接される各々の面がテーパ面に形成され、取り外し方向の回転で当接される各々の面が前記テーパ面よりも傾斜角度の小さい面に形成された凸部と、前記マウント部材と前記連動部材とを相対的に押圧付勢すると共に、前記マウント部材の締結後に、前記ケーシングから連動部材を介してマウント部材に伝達された取り付け方向の回転力が許容値を超えた時に、連動部材の凸部がマウント部材の凸部を乗り上げることができる付勢力に設定された付勢部材と、を備えたことを特徴としている。
【０００７】
本発明によれば、ケーシングを取り付け方向に回転させると、その回転力が連動部材に伝達する。そして、連動部材とマウント部材とは、付勢部材で押圧付勢されて各々の凸部のテーパ面が圧接した状態となり、連動部材の回転力がマウント部材に伝達する。これによって、マウント部材が回転されてカメラ本体に締結される。この締結終了後に、ケーシングから連動部材に過度の回転力が伝達されると、前記付勢部材の付勢力に抗して、連動部材の凸部がマウント部材の凸部を乗り上げる。これにより、本発明は、締め過ぎによるマウント部材の破損を防止することができる。
【０００８】
一方、ケーブルを位置調整する際には、マウント部材の締結後にケーシングを取り付け方向に回動させれば良い。この回転力は、マウント部材に伝達されず、また、ケーシングの回動角度も規制されないので、ケーシングの回動範囲を広くとることができる。
ケーシングを取り外し方向に回転させると、連動部材とマウント部材とは、前記テーパ面よりも傾斜角度の小さい面同士が当接されることにより、一体的に回転される。これにより、本発明は、カメラ本体からレンズ装置を容易に取り外すことができる。
【０００９】
【発明の実施の形態】
以下添付図面に従って本発明に係るレンズ装置の取付構造の好ましい実施の形態を詳述する。
図１は、本発明のレンズ装置の取付構造が適用された監視カメラ用撮影レンズの実施の形態を示す断面図である。同図に示す撮影レンズ装置１０は、ケーシング１２の前方から光軸Ｐに沿って第１のレンズ１４、アイリスユニット１６、及び第２のレンズ１８が順に配置され、ケーシング１２の後方（図中右端部）に設けられた連動リング（連動部材）２０、及びマウントリング（マウント部材）２２を介して、図中二点鎖線で示すカメラ本体２４に取り付けられる。
【００１０】
前記第１のレンズ１４は、略筒状に形成されたレンズ支持枠２６内に支持されており、このレンズ支持枠２６は、ケーシング１２内に固定されている。また、前記第２のレンズ１８も同様に略筒状のレンズ支持枠２８内に支持され、このレンズ支持枠２８はケーシング１２の後部に固定されている。
図２において前記レンズ支持枠２８の外周面にはヘリコイドねじ３０が形成され、このヘリコイドねじ３０にフォーカスリング３２のヘリコイドねじ３４が螺合されている。フォーカスリング３２を回転させると、フォーカスリング３２に対してレンズ支持枠２８、及びレンズ支持枠２６が光軸Ｐに沿って前後移動されてピント調整が行われる。ピント調整終了後、フォーカスリング３２は図示しないねじによってマウントリング２２に固定される。
【００１１】
図１において、前記アイリスユニット１６は、第１のレンズ１４と第２のレンズ１８との間に配置されており、アイリスメータ３６からの駆動力により駆動されて所望の絞り値に調節される。前記アイリスメータ３６は、レンズ支持枠２６とケーシング１２との間に形成された空間部に設置されている。また、アイリスメータ３６のケーブル３８は、ケーシング１２に形成された図示しない開口部から外部に配設されて、図中二点鎖線で示すカメラ本体２４のコネクタ４０に接続される。
【００１２】
ところで、前記連動リング２０は図２、図３に示すように、その内周面に２つのキー４２、４２が対向して形成されている。このキー４２、４２が図２に示したレンズ支持枠２８のキー溝４４、４４（下側のキーは図示せず）に係合されることにより、連動リング２０がレンズ支持枠２８に取り付けられる。また、連動リング２０は、ストッパ板４６との間に配置された板ばね４８の付勢力によって図２中左方向に付勢されている。また、連動リング２０は、マウントリング２２のストッパ板５０との間に配置された板ばね５２（付勢部材）の付勢力によって図２中右方向に付勢されている。この板ばね５２の付勢力は、前記板ばね４８の付勢力よりも大きく設定されており、その差分の付勢力によって連動リング２０の端面に形成された動力伝達面５４と、マウントリング２２の端面に形成された動力伝達面５６とが圧接されている。
【００１３】
図３は、連動リング２０の平面図で、図４は図３中４−４線上に沿った断面図、即ち動力伝達面５４の一部断面図である。また、図５は、マウントリング２０の平面図で、図６は図５中６−６線上に沿った断面図、即ち動力伝達面５６の一部断面図である。
図４に示すように、連動リング２０の動力伝達面５４には、凸部６６、６６…が形成される。これらの凸部６６、６６…は図３に示すように、光軸Ｐを中心とする同心円上に所定の間隔をもって多数形成されている。また、前記凸部６６は、図４中右側面がテーパ面６０に、図中左側面が上面６２に対して直角の垂直面６４に形成されている。
【００１４】
図６に示すように、マウントリング２２の動力伝達面５６にも同様に、凸部７４、７４…が形成され、これらの凸部７４、７４…は図５に示すように光軸Ｐを中心とする同心円上に所定の間隔をもって多数形成されている。この凸部７４も、図６中右側面がテーパ面６８に、図中左側面が上面７０に対して垂直の垂直面７２に形成されている。
【００１５】
前記連動リング２０側の凸部６６、６６…と、マウントリング２２側の凸部７４、７４…とは図７に示すように、凸部６６のテーパ面６６が凸部７４のテーパ面６８と対向し、凸部６６の垂直面６４が凸部７４の垂直面７２に対向して、凸部６６、７４同士が噛み合うように接合されている。
図７において、ケーシング１２（図１参照）の取り付け方向の回転で連動リング２０が図７中閉方向に回転されると、板ばね５２（図２参照）の付勢力により、凸部６６のテーパ面６０が凸部７４のテーパ面６８に圧接されて、連動リング２０の回転力がマウントリング２２に伝達される。これにより、マウントリング２２が閉方向に回転して、図１に示したカメラ本体２４のレンズ取付部２４Ａに、マウントリング２２のねじ部２２Ａが締結される。
【００１６】
一方、図２に示した板ばね５２の付勢力は、マウントリング２２の締結終了後に、ケーシング１２から連動リング２０に過度の回転力（凸部６６、７４が破損するような回転力）が伝達されると、図８中矢印Ａに示すように連動リング２０をマウントリング２２から退避させることができる付勢力に設定されている。これにより、前記過度の回転力が連動リング２０に伝達されると、連動リング２０の凸部６６がマウントリング２２の凸部７４を乗り上げて逃げるので、マウントリング２２には、その回転力が伝達されない。
【００１７】
これとは逆に、ケーシング１２を図９中開方向に回転させると、連動リング２０とマウントリング２２とは、垂直面６４、７２同士が当接されることにより、マウントリング２２が連動リング２０と一体に回転される。これにより、カメラ本体２４からレンズ装置１０が取り外される。
このように構成された本実施の形態のレンズ装置の取付構造によれば、まず、図１において、マウントリング２２のねじ２２Ａをカメラ本体２４のレンズ取付部２４Ａに合わせたのち、ケーシング１２を取り付け方向に回転させると、その回転力が連動リング２０に伝達する。そして、連動リング２０とマウントリング２２とは、図２に示した板ばね５２の付勢力で押圧付勢されて、図７に示した各々の凸部６６、７４のテーパ６０、６８同士が圧接した状態となり、連動リング２０の回転力がマウントリング２２に伝達する。これによって、マウントリング２２が回転されてカメラ本体２４にねじ込まれていき、レンズ装置１０がカメラ本体２４に取り付けられる。
【００１８】
この取付終了後に、ケーシング１２から連動リング２０に過度の取り付け方向の回転力が伝達されると、板ばね５２の付勢力に抗して、連動リング２０の凸部６６がマウントリング２２の凸部７４を図８に示したように乗り上げて逃げる。これにより、本実施の形態は、締め過ぎによる連動リング２０やマウントリング２２の破損を防止することができる。
【００１９】
一方、ケーブル３８をコネクタ４０に対して位置調整する際には、マウントリング２２の締結後にケーシング１２を取り付け方向に回動させて、ケーブル３８を所望の位置に位置させれば良い。この回転力は、図８に示した凸部６６の逃げ作用によってマウントリング２２に伝達されず、また、ケーシング１２の回動角度も規制されないので、ケーブル３８を位置調整するためのケーシング１２の回動範囲を広くとることができる。
【００２０】
ケーシング１２を取り外し方向に回転させると、連動リング２０とマウントリング２２とは、図９に示したように垂直面６４、７２同士が当接されることにより、マウントリング２２が連動リング２０と一体に回転される。これにより、本実施の形態では、カメラ本体２４からレンズ装置１０を容易に取り外すことができる。なお、マウントリング２２を連動リング２０と一体に回転させるものであれば、前記垂直面６４、７２に限られるものではなく、テーパ面６０、６８よりも傾斜角度の小さい面でも良い。
【００２１】
【発明の効果】
以上説明したように本発明に係るレンズ装置の取付構造によれば、マウント部材の締結終了後に、ケーシングから連動部材に過度の回転力が伝達されても、付勢部材の付勢力に抗して、マウント部材の凸部が連動部材の凸部を乗り上げるので、締め過ぎによるマウント部材の破損を防止することができる。
【００２２】
また、本発明では、マウント部材の締結後にケーシングを取り付け方向に回動させることで、ケーブルを位置調整するためのケーシング回動範囲を広くとることができる。
【図面の簡単な説明】
【図１】本発明のレンズ装置の取付構造が適用された監視カメラ用撮影レンズ装置の実施の形態を示す断面図
【図２】図１に示した撮影レンズ装置の要部断面図
【図３】連動リングの平面図
【図４】図３中４−４線上における連動リングの断面図
【図５】マウントリングの平面図
【図６】図５中６−６線上におけるマウントリングの断面図
【図７】締め付け時における連動リングとマウントリングとの凸部同士の係合状態を示す断面図
【図８】マウントリング締結後の締め過ぎ時における凸部同士の係合状態を示す断面図
【図９】緩め時における連動リングとマウントとの凸部同士の係合状態を示す断面図
【符号の説明】
１０…撮影レンズ装置
１２…ケーシング
２０…連動リング
２２…マウントリング
２４…カメラ本体
５２…板ばね
６０、６８…テーパ面
６４、７２…垂直面
６６、７４…凸部
【図１】
0003703054.tif 000002
【図２】
0003703054.tif 000003
【図３】
0003703054.tif 000004
【図４】
0003703054.tif 000005
【図５】
0003703054.tif 000006
【図６】
0003703054.tif 000007
【図７】
0003703054.tif 000008
【図８】
0003703054.tif 000009
【図９】
0003703054.tif 000010